(57)【特許請求の範囲】
【請求項１】
着脱可能に接続された外部記憶装置に記憶されているコンテンツを読み出して出力する第１のモードと、外部信号により入力されたコンテンツを出力する第２のモードとを入力モードとして有する１又は複数のコンテンツ出力装置に接続可能なコンテンツ配信装置において、
一又は複数のコンテンツを選択するコンテンツ選択手段と、
前記コンテンツ出力装置の外部記憶装置に記憶されているコンテンツを削除するコンテンツ削除手段と、
前記選択されたコンテンツを、前記コンテンツ出力装置が、前記外部記憶装置に記憶するようにコンテンツを送信するコンテンツ送信手段と、
を備え、
前記コンテンツ送信手段は、前記コンテンツ出力装置の入力モードが前記第１のモードであり、かつ、前記コンテンツ出力装置の電源状態が待機状態以外の場合には、当該コンテンツ出力装置の電源状態を電源待機状態に遷移させることを特徴とするコンテンツ配信装置。
【請求項２】
前記コンテンツ送信手段は、前記コンテンツ出力装置の電源状態を電源待機状態に遷移させた後、前記コンテンツ出力装置の前記外部記憶装置にコンテンツを送信することを特徴とする請求項１に記載のコンテンツ配信装置。
【請求項３】
前記コンテンツ出力装置の状態を取得する状態取得手段を備え、
前記コンテンツ送信手段により前記コンテンツを送信した後に、前記コンテンツ出力装置の状態を、前記コンテンツを送信する前に戻すことを特徴とする請求項１又は２に記載のコンテンツ配信装置。
【請求項４】
前記状態取得手段は、少なくとも前記コンテンツ出力装置の電源状態と、入力モードとを取得し、
前記コンテンツ送信手段により前記コンテンツを送信した後に、前記コンテンツ出力装置の電源状態、入力モードを、前記コンテンツの送信前の状態に戻すことを特徴とする請求項３に記載のコンテンツ配信装置。
【請求項５】
前記コンテンツ出力装置毎の情報を記憶するリストと、
接続された前記コンテンツ出力装置から、コンテンツを送信するコンテンツ出力装置を選択する選択手段と、を更に備え、
前記コンテンツ選択手段は、前記リストを参照し、前記コンテンツ出力装置においてコンテンツが出力可能なコンテンツ出力装置のみを選択できることを特徴とする請求項１から４の何れか一項に記載のコンテンツ配信装置。
【請求項６】
前記リストには、前記コンテンツ出力装置の情報としてモニタの解像度が含まれており、
前記コンテンツ選択手段は、コンテンツの解像度と、前記モニタの解像度とを比較し、コンテンツの向きと、前記モニタが設置されている向きが異なる場合には、前記コンテンツ出力装置を選択できないようにすることを特徴とする請求項５に記載のコンテンツ配信装置。
【請求項７】
着脱可能に接続された外部記憶装置に記憶されているコンテンツを読み出して出力する第１のモードと、外部信号により入力されたコンテンツを出力する第２のモードとを入力モードとして有する１又は複数のコンテンツ出力装置において、
コンテンツ配信装置からコンテンツを受信した場合に、前記外部記憶装置に当該コンテンツを記憶するコンテンツ記憶手段と、
前記外部記憶装置にコンテンツが記憶されている場合には、当該コンテンツを出力するコンテンツ出力手段と、
を備え、
前記コンテンツを受信する場合に、入力モードが前記第１のモードであり、かつ、前記コンテンツ出力装置の電源状態が待機状態以外の場合には、当該コンテンツ出力装置の電源状態を電源待機状態に遷移することを特徴とするコンテンツ出力装置。
【請求項８】
着脱可能に接続された外部記憶装置に記憶されているコンテンツを読み出して出力する第１のモードと、外部信号により入力されたコンテンツを出力する第２のモードとを入力モードとして有する１又は複数のコンテンツ出力装置と接続可能なコンピュータによって実行されるプログラムであって、
一又は複数のコンテンツを選択するコンテンツ選択ステップと、
前記コンテンツ出力装置の外部記憶装置に記憶されているコンテンツを削除するコンテンツ削除ステップと、
前記選択されたコンテンツを、前記コンテンツ出力装置が、前記外部記憶装置に記憶するようにコンテンツを送信するコンテンツ送信ステップと、
を実行させ、
前記コンテンツ送信ステップは、前記コンテンツ出力装置の入力モードが前記第１のモードであり、かつ、前記コンテンツ出力装置の電源状態が待機状態以外の場合には、当該コンテンツ出力装置の電源状態を電源待機状態に遷移させることを特徴とするプログラム。
【請求項９】
着脱可能に接続された外部記憶装置に記憶されているコンテンツを読み出して出力する第１のモードと、外部信号により入力されたコンテンツを出力する第２のモードとを入力モードとして有する１又は複数のコンテンツ出力装置と、コンテンツ配信装置とを有するコンテンツ配信システムにおいて、
コンテンツ配信装置は、
一又は複数のコンテンツを選択するコンテンツ選択手段と、
前記選択されたコンテンツを、前記コンテンツ出力装置が、前記外部記憶装置に記憶するようにコンテンツを送信するコンテンツ送信手段と、
を備え、
前記コンテンツ出力装置は、
前記コンテンツ配信装置からコンテンツを受信した場合に、前記外部記憶装置に当該コンテンツを記憶するコンテンツ記憶手段と、
前記外部記憶装置にコンテンツが記憶されている場合には、当該コンテンツを出力するコンテンツ出力手段と、
を備え、
前記コンテンツ配信装置のコンテンツ送信手段は、前記コンテンツ出力装置の入力モードが前記第１のモードであり、かつ、前記コンテンツ出力装置の電源状態が待機状態以外の場合には、当該コンテンツ出力装置の電源状態を電源待機状態に遷移させることを特徴とするコンテンツ配信システム。
【発明の詳細な説明】
【技術分野】
【０００１】
本発明は、着脱可能に接続された外部記憶装置に記憶されたコンテンツを出力可能なコンテンツ出力装置と接続可能なコンテンツ配信装置等に関する。
【背景技術】
【０００２】
従来、コンテンツを出力する装置として、例えば静止画や動画のコンテンツを表示・再生するデジタルサイネージシステムが知られている。デジタルサイネージシステムにおいては、インフォメーションディスプレイと呼ばれる大型の表示装置を利用して、コンテンツを表示するのが特徴である。コンテンツ配信サーバ側から、コンテンツ表示装置に対して、ネットワークを介してコンテンツを配信する方法が知られている（例えば、特許文献１参照）。
【０００３】
しかし、この方法は、表示・再生するコンテンツ（コンテンツファイル）の準備や管理が複雑で難しいという問題点があった。とくに、近年ではディスプレイ（表示装置）の低価格化や、コンパクト化により、一般の利用者が店舗内やショッピングモール内といった場所で利用したいというニーズが増加してきた。
【０００４】
このようなニーズに応えるために、コンテンツを簡易的に利用する方法として。コンテンツのファイルをＵＳＢメモリに記憶し、当該ＵＳＢメモリをコンテンツ表示装置に直接接続する方法が行われている（例えば、特許文献２参照）。これにより、利用者は簡易な方法で、コンテンツを表示・再生することが実現できるようになった。
【先行技術文献】
【特許文献】
【０００５】
【特許文献１】特開２０１４−１６９０６号公報
【特許文献２】特開２００３−１０８１０５号公報
【発明の概要】
【発明が解決しようとする課題】
【０００６】
上述した装置構成の場合、ＵＳＢメモリ等の着脱可能な外部記憶装置にコンテンツを記憶するためには一度外部記憶装置を外し、直接コンテンツファイルを書換え無ければならなかった。コンテンツ表示装置が１台、２台の場合であれば良いが、台数が多くなると管理が煩雑であった。
【０００７】
また、設置場所によっては、外部記憶装置（ＵＳＢメモリ）に利用者の手が届かない場合もある。このような位置のコンテンツファイルを書き換えるのは大変であった。
【０００８】
このような課題を解決するために、本発明は、コンテンツ出力装置の外部記憶装置に対して遠隔でコンテンツファイルの配信を容易に行うことが可能なコンテンツ配信装置等を提供することである。
【課題を解決するための手段】
【０００９】
上述した課題を解決するために、本発明のコンテンツ配信装置は、
着脱可能に接続された外部記憶装置に記憶されたコンテンツを出力可能なコンテンツ出力装置に接続可能なコンテンツ配信装置において、
一又は複数のコンテンツを選択するコンテンツ選択手段と、
前記コンテンツ出力装置の外部記憶装置に記憶されているコンテンツを削除するコンテンツ削除手段と、
前記選択されたコンテンツを、前記コンテンツ出力装置が、前記外部記憶装置に記憶するようにコンテンツを送信するコンテンツ送信手段と、
を備えることを特徴とする。
【００１０】
本発明のコンテンツ出力装置は、
着脱可能に外部記憶装置が接続されるコンテンツ出力装置において、
コンテンツ配信装置からコンテンツを受信した場合に、前記外部記憶装置に当該コンテンツを記憶するコンテンツ記憶手段と、
前記外部記憶装置にコンテンツが記憶されている場合には、当該コンテンツを出力するコンテンツ出力手段と、
を備え、
前記コンテンツを受信する場合に、既に外部記憶装置にコンテンツが記憶されている場合には、当該コンテンツを削除することを特徴とする。
【００１１】
本発明のプログラムは、
着脱可能に接続された外部記憶装置に記憶されたコンテンツを出力可能なコンテンツ出力装置と接続可能なコンピュータによって実行されるプログラムであって、
一又は複数のコンテンツを選択するコンテンツ選択ステップと、
前記コンテンツ出力装置の外部記憶装置に記憶されているコンテンツを削除するコンテンツ削除ステップと、
前記選択されたコンテンツを、前記コンテンツ出力装置が、前記外部記憶装置に記憶するようにコンテンツを送信するコンテンツ送信ステップと、
を実行させることを特徴とする。
【００１２】
本発明のプログラムは、
着脱可能に外部記憶装置が接続されるコンピュータによって実行されるプログラムであって、
コンテンツ配信装置からコンテンツを受信した場合に、前記外部記憶装置に当該コンテンツを記憶するコンテンツ記憶ステップと、
前記外部記憶装置にコンテンツが記憶されている場合には、当該コンテンツを出力するコンテンツ出力ステップと、
を有し、
前記コンテンツを受信する場合に、既に外部記憶装置にコンテンツが記憶されている場合には、当該コンテンツを削除することを特徴とする。
【００１３】
本発明のコンテンツ配信システムは、
着脱可能に接続された外部記憶装置に記憶されたコンテンツを出力可能なコンテンツ出力装置と、コンテンツ配信装置とを有するコンテンツ配信システムにおいて、
前記コンテンツ配信装置は、
一又は複数のコンテンツを選択するコンテンツ選択手段と、
前記選択されたコンテンツを、前記コンテンツ出力装置が、前記外部記憶装置に記憶するようにコンテンツを送信するコンテンツ送信手段と、
を備え、
前記コンテンツ出力装置は、
コンテンツ配信装置からコンテンツを受信した場合に、前記外部記憶装置に当該コンテンツを記憶するコンテンツ記憶手段と、
前記外部記憶装置にコンテンツが記憶されている場合には、当該コンテンツを出力するコンテンツ出力手段と、
を備え、
前記コンテンツ出力装置は、前記コンテンツを受信する場合に、前記外部記憶装置に既にコンテンツが記憶されている場合には、当該コンテンツを削除してからコンテンツを受信することを特徴とする。
【発明の効果】
【００１４】
本発明によれば、着脱可能に接続された外部記憶装置に記憶されたコンテンツを出力可能なコンテンツ出力装置に接続可能なコンテンツ配信装置であって、コンテンツ配信装置で選択されたコンテンツをコンテンツ出力装置に送信する場合には、コンテンツ配信装置の外部記憶装置に記憶されているコンテンツを削除し、選択されたコンテンツを、コンテンツ出力装置が外部記憶装置に記憶するようにコンテンツを送信することとなる。これにより、コンテンツ配信装置は、コンテンツ出力装置の外部記憶装置に記憶されているコンテンツファイルを、送信するコンテンツファイルで書き換えることが可能となる。
【図面の簡単な説明】
【００１５】
【図１】第１実施形態における全体構成を説明するための図である。
【図２】第１実施形態における全体構成を説明するための図である。
【図３】第１実施形態におけるコンテンツ表示装置の構成を説明するための図である。
【図４】第１実施形態におけるコンテンツ配信装置の構成を説明するための図である。
【図５】第１実施形態における第１コンテンツ表示処理を説明するための動作フローである。
【図６】第１実施形態における第１コンテンツ配信処理を説明するための動作フローである。
【図７】第１実施形態において、処理の流れを説明する為のシーケンス図である。
【図８】第１実施形態において、処理の流れを説明する為のシーケンス図である。
【図９】第１実施形態において、処理の流れを説明する為のシーケンス図である。
【図１０】第１実施形態における動作画面を説明するための図である。
【図１１】第１実施形態における動作画面を説明するための図である。
【図１２】第２実施形態における第２コンテンツ配信処理を説明するための動作フローである。
【図１３】第２実施形態における第２コンテンツ配信処理を説明するための動作フローである。
【図１４】第３実施形態におけるデータ構成の一例を説明するための図である。
【図１５】第３実施形態における動作画面を説明するための図である。
【図１６】第４実施形態における第２コンテンツ表示処理を説明するための動作フローである。
【図１７】第６実施形態における第３コンテンツ表示処理を説明するための動作フローである。
【図１８】第６実施形態における第３コンテンツ表示処理を説明するための動作フローである。
【図１９】第７実施形態における動作画面を説明するための図である。
【図２０】第７実施形態における動作画面を説明するための図である。
【発明を実施するための形態】
【００１６】
以下に、本発明の実施の形態について、図を参照しながら詳細に説明する。以下の説明では、本発明のコンテンツ配信装置及びコンテンツ出力装置を含むコンテンツ配信システムを例に説明する。なお、本実施形態は、本発明を説明するための一例であり、実施形態の内容に限定されないことは勿論である。
【００１７】
［１．第１実施形態］
まず、第１実施形態について説明する。第１実施形態は、コンテンツを所定のコンテンツ表示装置に送信・配信する例である。
【００１８】
［１．１  全体構成］
まず、全体構成について図１及び図２を用いて説明する。図１は、コンテンツ出力装置の一例として、コンテンツを表示するコンテンツ表示装置１０の概略を説明するための図である。コンテンツ表示装置１０は、例えば大型のディスプレイを設けて構成されている。例えば、液晶ディスプレイを表示装置としたディスプレイ装置である。このようなディスプレイは、インフォメーションディスプレイと呼ばれ、例えば店舗や、ションピングモール、公共施設、公共機関といった人の集まる場所に多く設置される。
【００１９】
コンテンツ表示装置１０は、例えば外部ＩＦ（インタフェース）として、ＵＳＢ（Universal Serial Bus）インタフェースを設けている。ＵＳＢインタフェースには、各種周辺装置が接続可能であり、本実施形態では外部記憶装置を接続する。外部記憶装置としては、例えばＵＳＢメモリ、外付けＨＤＤ、ＳＳＤ、メモリカード等が利用可能である。図１では、ＵＳＢメモリ１５が装着可能に示されている。
【００２０】
なお、外部ＩＦとしては、例えばＳＤカードであれば、カードスロットを設ければ良い。すなわち、接続される周辺装置に対応するインタフェースが提供されている。本実施形態におけるＩＦは、少なくとも外部記憶装置が接続可能なインタフェースである。
【００２１】
図２は、コンテンツ表示装置１０、コンテンツ配信装置２０を含むコンテンツ配信システム１の全体を示す図である。コンテンツ表示装置１０は、一又は複数の装置が含まれている。例えば、図２では、コンテンツ表示装置１０として、コンテンツ表示装置１０ａ、１０ｂ、１０ｃがネットワークＮＷを介してコンテンツ配信装置２０に接続されている。また、コンテンツ表示装置１０には、ＵＳＢメモリがそれぞれ装着されている。例えば、コンテンツ表示装置１０ａにはＵＳＢメモリ１５ａが、コンテンツ表示装置１０ｂにはＵＳＢメモリ１５ｂが、コンテンツ表示装置１０ｃにはＵＳＢメモリ１５ｃが接続されている。
【００２２】
コンテンツ配信装置２０は、コンピュータ・サーバで構成されている。このコンピュータ・サーバ上でコンテンツ配信プログラム（コンテンツ配信アプリケーション）が実行されることによって、実現される。このとき、コンテンツ配信プログラムが実行可能であれば、例えば、タブレット端末や、スマートフォン等で実現されてもよい。
【００２３】
［１．２  機能構成］
つづいて、各装置の機能構成について図を用いて説明する。
【００２４】
［１．２．１  コンテンツ表示装置］
コンテンツ表示装置１０の機能構成について図３を用いて説明する。図３に示すように、コンテンツ表示装置１０は、制御部１１０と、表示部１２０と、通信部１３０と、記憶部１４０と、コンテンツ表示制御部１５０と、ＵＳＢ接続部１６０とを備えて構成されている。
【００２５】
制御部１１０は、コンテンツ表示装置１０の全体を制御するための機能部である。制御部１１０は、記憶部１４０に記憶されている各種プログラムを読み出して実行することにより各種機能を実現しており、例えばＣＰＵ（Central Processing Unit）等により構成されている。
【００２６】
表示部１２０は、コンテンツを表示する為の機能部である。例えば、液晶ディスプレイや、有機ＥＬディスプレイ等により構成されている。なお、プロジェクタのような投影装置であったり、ＨＤＭＩ（登録商標）を利用して外部の表示装置に表示したりしてもよいことは勿論である。
【００２７】
通信部１３０は、コンテンツ表示装置１０が、コンテンツ配信装置２０と通信を行うための機能部である。例えば、有線／無線ＬＡＮで利用されるＮＩＣ（Network Interface Card）や、３Ｇ／ＬＴＥ回線に接続可能な通信モジュールにより実現されている。また、Ｂｌｕｅｔｏｏｔｈ（登録商標）や、ＺｉｇＢｅｅのような近距離無線通信を利用しても良い。
【００２８】
記憶部１４０は、コンテンツ表示装置１０の動作に必要な各種プログラムや、各種データが記憶されている機能部である。記憶部１４０は、例えば、半導体メモリや、ＨＤＤ（Hard Disk Drive）等により構成されている。
【００２９】
コンテンツ表示制御部１５０は、コンテンツを表示部１２０に表示する制御を行う機能部である。例えば、コンテンツを順次表示する制御を行う（例えば、静止画である画像データをスライドショー表示したり、動画データを連続再生したりする表示制御を行う）機能部である。
【００３０】
具体的には、コンテンツ表示制御部１５０は、メディアプレイヤーというプログラムが実行されることで、コンテンツが順次表示される。これは、ＵＳＢメモリ３００にアクセスし、ＵＳＢメモリ３００の特定フォルダ（「ＡｕｔｏＰｌａｙフォルダ」）に、コンテンツファイルが記憶されているか判定する。
【００３１】
そして、「ＡｕｔｏＰｌａｙ」フォルダにコンテンツファイルが記憶されていると、自動的に読み出し、コンテンツを表示する処理を行う。このとき、ファイル番号順に読み出し、表示することとなる。
【００３２】
なお、当該フォルダは別の名称であっても良いし、特にフォルダを指定しなくても良い。例えば、ＵＳＢメモリ３００にコンテンツファイルが記憶されている場合は、自動表示するといった処理としても良い。
【００３３】
ＵＳＢ接続部１６０は、ＵＳＢ機器と接続するための機能部である。例えば、ＵＳＢ２．０／３．０／３．１のインタフェースで構成されている。なお、本実施形態では、ＵＳＢ機器を例にとって説明するが、外部装置として接続可能なインタフェースであれば良い。例えば、ＲＳ−２３２Ｃ、ＩＥＥＥ１３９４、Lightning、Thunderbolt、ＳＣＳＩ等のバス規格であっても良い。
【００３４】
ＵＳＢ接続部１６０を介して、外部記憶装置としてＵＳＢメモリ３００が接続されている。ここでいうＵＳＢメモリは、図１に示したＵＳＢメモリ１５が相当する。本実施形態においては、外部記憶装置の一例としてＵＳＢメモリを説明するが、外付けＨＤＤ、ＳＳＤといった各種記憶装置であってもよい。また、カードリーダを介してＳＤカード、ＣＦカード等の記録媒体であっても良い。
【００３５】
ＵＳＢメモリ３００には、コンテンツファイル記憶領域３１０が確保されており、コンテンツファイルが記憶されている。ここで、本実施形態におけるコンテンツファイルは、表示部１２０に表示可能なコンテンツである。例えば、ＪＰＧ、ＧＩＦ、ＰＮＧ等の画像ファイル（静止画データ）や、ＷＭＶ、ＭＰＧ、ＡＶＩ等の動画ファイル（動画像データ）のことをいう。また、ＰＤＦやＨＴＭＬといった文章ファイルや、ドキュメントファイル等が利用出来ても良い。
【００３６】
［１．２．２  コンテンツ配信装置］
つづいて、コンテンツ配信装置２０の機能構成について図４を用いて説明する。コンテンツ配信装置２０は、制御部２１０と、表示部２２０と、通信部２３０と、記憶部２４０とを含んで構成されている。
【００３７】
制御部２１０は、コンテンツ配信装置２０の全体を制御するための機能部である。制御部２１０は、記憶部２４０に記憶されている各種プログラムを読み出して実行することにより各種機能を実現しており、例えばＣＰＵ（Central Processing Unit）等により構成されている。
【００３８】
表示部２２０は、コンテンツ配信機能により、各種操作画面コンテンツを表示する為の機能部である。例えば、液晶ディスプレイや、有機ＥＬディスプレイ等により構成されている。なお、プロジェクタのような投影装置であったり、ＨＤＭＩ（登録商標）を利用して外部の表示装置に表示してもよいことは勿論である。
【００３９】
通信部２３０は、コンテンツ配信装置２０が、コンテンツ表示装置１０と通信を行うための機能部である。例えば、有線／無線ＬＡＮで利用されるＮＩＣであったり、３Ｇ／ＬＴＥ回線に接続可能な通信モジュールにより実現されている。また、Ｂｌｕｅｔｏｏｔｈや、ＺｉｇＢｅｅのような近距離無線通信を利用しても良い。
【００４０】
記憶部２４０は、コンテンツ配信装置２０の動作に必要な各種プログラムや、各種データが記憶されている機能部である。記憶部２４０は、例えば、半導体メモリや、ＨＤＤ（Hard Disk Drive）等により構成されている。
【００４１】
また、記憶部２４０には、コンテンツファイル記憶領域２４２が確保されており、コンテンツ配信プログラム２４４を記憶している。
【００４２】
コンテンツファイル記憶領域２４２は、一又は複数のコンテンツファイルが記憶されている領域である。当該記憶されているコンテンツファイルの中から、利用者により選択されたコンテンツファイルがコンテンツ表示装置１０に送信・配信される。
【００４３】
コンテンツ配信プログラム２４４は、制御部２１０に読み出されて実行することにより、コンテンツ配信機能が実現される。コンテンツ配信プログラム２４４は、コンテンツ配信装置２０に限らず、一般のコンピュータや、タブレット端末等といった情報処理装置であれば実行することができる。
【００４４】
［１．３  処理の流れ］
つづいて、本実施形態における処理の流れについて、図を参照して説明する。
【００４５】
［１．３．１  第１コンテンツ表示処理］
コンテンツ表示装置１０において、コンテンツを表示する場合に実行される第１コンテンツ表示処理について、図５の動作フローを用いて説明する。
【００４６】
まず、電源がスタンバイモード（電源待機状態）になっているときに、電源をＯＮにする操作が検出されると、電源の状態が「ＯＮ」に遷移する（ステップＳ１０２→ステップＳ１０４；Ｙｅｓ→ステップＳ１０６）。
【００４７】
ここで、コンテンツ表示装置１０の電源の状態として３つの状態がある。まず、電源がＯＮされる前の状態である「電源待機状態（スタンバイモード）」と、電源はＯＮであるが、ＨＤＭＩモードや、ＤＶＩモード等の外部信号に基づいて表示する場合に、外部から信号が入力されていなかたったり、ＵＳＢモードにおいてＵＳＢメモリ（外部記憶装置）が接続されていなかったりする場合の「信号待機状態」と、電源がＯＮになっており、信号が入力されたり、外部記憶装置からコンテンツデータを読み出している状態である「ＯＮ（電源ＯＮ）状態」の３つが遷移可能である。
【００４８】
また、電源状態がＯＮのときに、コンテンツ表示装置１０は複数の表示モードがある。これは、外部入力に応じて切り替え可能であり、例えば、ＨＤＭＩ、ＤＶＩ、Ｄ−ＳＵＢ、コンポジット等の入力に応じてモードを切り替えることができる。また、ＵＳＢメモリ（外部記憶装置）からコンテンツデータを読み出す「ＵＳＢモード」が選択可能である。
【００４９】
「ＵＳＢモード」が選択されている場合、ＵＳＢメモリ等の外部記憶装置において「ＡｕｔｏＰｌａｙフォルダ」が存在するか否かを確認する。そして、「ＡｕｔｏＰｌａｙフォルダ」が存在する場合には、「ＡｕｔｏＰｌａｙフォルダ」に含まれているコンテンツファイルを連続して表示することとなる。
【００５０】
具体的にフローで説明すると、まずＵＳＢモード以外の場合には、選択されているモードに応じた動作を実行する（ステップＳ１０８；Ｎｏ）。本実施形態では、他の動作モードのときの処理についての説明は省略する。
【００５１】
ここで、ＵＳＢモードが選択されている場合に（ステップＳ１０８；Ｙｅｓ）、ＡｕｔｏＰｌａｙフォルダが存在するか否かを判定する（ステップＳ１１０）。
【００５２】
すなわち、ＵＳＢ接続部１６０に、ＵＳＢメモリ３００が接続されており、更にＵＳＢメモリ３００にＡｕｔｏＰｌａｙフォルダが存在する場合には（ステップＳ１１０；Ｙｅｓ）、コンテンツ表示処理が実行される（ステップＳ１１２）。
【００５３】
コンテンツ表示処理は、ＡｕｔｏＰｌａｙフォルダに記憶されているコンテンツファイルに基づいたコンテンツを、コンテンツ表示装置１０に記憶されているメディアプレイヤーによって順次表示させる処理である。例えば、ファイル番号が連番（０１、０２、…）と記憶されている場合には、ファイル番号順に表示・再生させたりすることが可能となる。
【００５４】
メディアプレイヤーは、記憶されているコンテンツに基づいて、画像コンテンツ・ドキュメントコンテンツを表示したり、動画コンテンツを再生したりする機能を有している。
【００５５】
また、このとき、表示するコンテンツとしては、所定時間毎に切り替えて表示してもよいし、利用者が設定した時間毎に表示しても良い。また、ファイル毎に属性を持たせておき、順次表示させてもよい。
【００５６】
ここで、他モードにも切り替えられず、電源ＯＦＦの操作が行われない限りは、繰り返しコンテンツが表示されることとなる（ステップＳ１１４；Ｎｏ→ステップＳ１１６；Ｎｏ→ステップＳ１０８）。なお、電源ＯＦＦの操作がなされると、本実施形態では電源待機状態に遷移する。
【００５７】
他方、他モードに切り替えられたられた場合は、当該モードに対応するモードで動作したり（ステップＳ１１４；Ｙｅｓ）、電源ＯＦＦ操作が行われた場合は、本処理を終了し、電源がＯＦＦとなる（ステップＳ１１４；Ｎｏ→ステップＳ１１６；Ｙｅｓ）。
【００５８】
［１．３．２  第１コンテンツ配信処理］
コンテンツ配信装置２０が実行する第１コンテンツ配信処理について、図６を用いて説明する。
【００５９】
まず、コンテンツ配信装置２０は、コンテンツ表示装置１０にログインする（ステップＳ１５２）。一例として、コマンド送信のためにｔｅｌｎｅｔで接続し、コンテンツファイル送信のために、ｆｔｐで接続する。以下、コンテンツ表示装置１０の状態を取得する場合には、ｔｅｌｎｅｔ経由でコマンドを送信し取得するが、他のプロトコルを利用してもよいことは当然である。例えば、ｔｅｌｎｅｔの代わりにＳＳＨを利用したり、ｆｔｐの代わりにｓｆｔｐ／ｓｃｐを利用してもよい。
【００６０】
つづいて、コンテンツ表示装置１０の電源状態を取得する（ステップＳ１５４）。これは、現在コンテンツ表示装置１０が、既にＵＳＢメモリ３００にアクセスしているときに、ファイルの記憶・更新といった処理を行わないために確認される処理である。
【００６１】
取得された電源状態が「電源待機状態」でなく、現在の入力モードがＵＳＢモードの場合は、電源を電源待機状態（スタンバイ）に変更する（ステップＳ１５６；Ｎｏ→ステップＳ１５８→ステップＳ１６０；Ｙｅｓ→ステップＳ１６２）。これにより、書換え中の画面を利用者に対して表示させないという効果と、安全にファイルの書き込みを行うことができるという効果が期待できる。
【００６２】
なお、本実施形態では「電源待機状態」にすることで実現しているが、他の方法も考えられる。例えば、ＵＳＢドライバの接続を解除し、画面を非表示にするといった処理を実行してもよい。
【００６３】
他方、現在の電源状態が「電源待機状態」の場合（ステップＳ１５６；Ｙｅｓ）又は入力モードがＵＳＢモード以外の場合は（ステップＳ１５６；Ｎｏ→ステップＳ１５８→ステップＳ１６０；Ｎｏ）、電源をスタンバイ（電源待機状態）にするといった処理は行われない。
【００６４】
この場合、システムはＵＳＢメモリ３００にアクセスしていないために、電源待機状態にスタンバイにしないためである。また、他のモードで既にコンテンツが表示されている（例えば、ＨＤＭＩモードで、外部入力のコンテンツが表示されている）場合に、そのまま表示するためである。
【００６５】
なお、このような場合であっても、電源待機状態にすることとしても良い。例えば、ファイルシステムの破損を防ぐといった安全性を優勢し、電源待機状態にすることとしても良い。
【００６６】
つづいて、ＵＳＢメモリ３００に「ＡｕｔｏＰｌａｙフォルダ」がない場合には、「ＡｕｔｏＰｌａｙ」フォルダを作成する（ステップＳ１６４；Ｎｏ→ステップＳ１６６）。他方、既に存在する場合は、ＡｕｔｏＰｌａｙフォルダ内のファイルを削除する（ステップＳ１６４；Ｙｅｓ→ステップＳ１６８）。
【００６７】
なお、本実施形態では、ＡｕｔｏＰｌａｙフォルダ内のファイルを一度削除することとして説明しているが、現在のコンテンツファイルはそのまま残し、追記する追加モードを設けてもよい。追加モードが選択された場合は、ステップＳ１６８は実行されない。
【００６８】
また、一律に新しいフォルダを作成する（現在のフォルダは削除する）という処理としてもよい。
【００６９】
続いて、コンテンツファイルが送信される（ステップＳ１７０）。ここで、コンテンツファイルの送信が終わったら、メディアプレイヤーのリセット処理が実行される（ステップＳ１７２）。
【００７０】
ここで、メディアプレイヤーのリセット処理としては、例えばコンテンツ表示装置１０の電源ＯＮ／ＯＦＦによって実行される。具体的には、一度コンテンツ表示装置１０の電源がＯＦＦとなってから再度ＯＮとなる操作（リセット操作）がなされると、メディアプレイヤーがリセットされ、「ＡｕｔｏＰｌａｙ」フォルダに入っているコンテンツデータを改めて表示する処理を実行する。
【００７１】
なお、コンテンツ配信装置２０は、ステップＳ１５２で行われたログイン状態が解除されることから、再度ログイン処理を行っても良い。例えば、所定時間毎にログイン処理を実行し、ログインができた状態になれば、メディアプレイヤーのリセット処理が完了したと判定することができる。
【００７２】
そして、入力モードをＵＳＢに切り替える制御を行うことにより（ステップＳ１７４）、ステップＳ１７０により送信されたコンテンツデータがメディアプレイヤーによって表示・再生されることとなる。なお、最後にコンテンツ配信装置２０は、コンテンツ表示装置１０からログアウトをする（ステップＳ１７６）。
【００７３】
［１．３．３  シーケンス１］
つづいて、コンテンツ配信装置２０と、コンテンツ表示装置１０との処理の流れについて、説明する。まず、コンテンツ表示装置１０の電源状態が「電源待機状態」又は「信号待機状態」の場合のシーケンスについて、図７を参照して説明する。
【００７４】
まず、コンテンツ配信装置２０からコンテンツ表示装置１０に対してログイン処理が実行される。例えば、コンテンツ配信装置２０からログイン要求がＴｅｌｎｅｔ及びＦＴＰそれぞれで行われる（Ｓ１００２）。
【００７５】
ここで、コンテンツ表示装置１０から、ログインＯＫの信号がＴｅｌｎｅｔ及びＦＴＰで返ってきた後（Ｓ１００４）、コンテンツ配信装置２０は、機種名取得要求をコンテンツ表示装置１０に送信する（Ｓ１００６）。このとき、例えばＴｅｌｎｅｔのコマンドで機種名を取得の要求を行う。
【００７６】
これに対して、コンテンツ表示装置１０は、機種名応答で機種名を送信する（Ｓ１００８）。この機種名に基づいて、コンテンツ配信装置２０は、自動再生可能か否か等を判定することが可能となる。
【００７７】
つづいて、コンテンツ配信装置２０は、コンテンツ表示装置１０に対して電源状態取得要求を送信する（Ｓ１０１０）。電源状態取得要求は、Ｔｅｌｎｅｔのコマンドを送信することにより、コンテンツ表示装置１０の電源状態を取得することができる。
【００７８】
例えば、電源待機状態の場合は「０」、電源ＯＮ状態の場合は「１」、信号待機状態の場合は「２」といったパラメータが返される。本シーケンス図では、電源状態が電源待機状態又は信号待機状態として返された場合について説明する。
【００７９】
つづいて、コンテンツ配信装置２０は、コンテンツ表示装置１０に記憶されているコンテンツファイルを削除する（Ｓ１０１４）。すなわち、まずファイル一覧コマンド（ｌｓコマンド）を利用して、ＵＳＢメモリ３００に「ＡｕｔｏＰｌａｙ」フォルダが存在するか否かを確認する。ここで、「ＡｕｔｏＰｌａｙ」フォルダが存在する場合は、既にコンテンツファイルが存在していることがわかる。
【００８０】
したがって、「ＡｕｔｏＰｌａｙ」フォルダの中にコンテンツファイルをｄｅｌコマンドで削除する。また、「ＡｕｔｏＰｌａｙ」フォルダではなく、ルートフォルダで管理している場合には、ＵＳＢメモリ３００に記憶されている（コンテンツ）ファイルを削除する。
【００８１】
なお、コンテンツファイルが存在しない場合（「ＡｕｔｏＰｌａｙ」フォルダが無い場合）は、削除処理は実行しないこととしても良い。
【００８２】
つづいて、コンテンツファイルを削除した後に、リストに含まれるコンテンツファイルを、ＦＴＰによりコンテンツ表示装置１０に送信し、ＵＳＢメモリ３００に記憶する（Ｓ１０１６）。
【００８３】
ここで、コンテンツファイルはそのまま送信されても良いし、ファイル名を順序番号に変換して送信しても良い。ファイル名を順序番号に送信する方法としては、ＦＴＰにおけるＰＵＴコマンドで、リモート先のファイル名を順序番号に変換されたファイル名を利用すれば良い。
【００８４】
すなわち、
”ＰＵＴ  コンテンツファイル名  順序番号に変更したファイル名”
として、ファイルを送信すれば良い。
【００８５】
なお、この段階で「ＡｕｔｏＰｌａｙ」フォルダが存在しない場合には、ＭＫＤＩＲコマンドで、フォルダを生成しても良い。
【００８６】
ここで、リストに含まれるコンテンツファイルが全て送信されるまで、処理を繰り返し実行する。そして、全てのコンテンツファイルを送信し終わると、メディアプレイヤーのリセット要求をＴｅｌｎｅｔで送信する（Ｓ１０１８）。
【００８７】
そして、全ての動作が終わると、コンテンツ配信装置２０は、ログアウト要求をコンテンツ表示装置１０に送信する（Ｓ１０２０）。これにより、Ｔｅｌｎｅｔ及びＦＴＰとも切断されることとなる。
【００８８】
［１．３．４  シーケンス２］
つづいて、電源状態が電源ＯＮ状態の場合であって、入力モードがＵＳＢモードである場合について、図８を参照して説明する。なお、図７の処理と同一の処理には同一の符号を付し、説明を省略する。
【００８９】
電源状態応答（Ｓ１０１２）により、コンテンツ表示装置１０の電源状態が「電源ＯＮ状態」であった場合、コンテンツ配信装置２０は入力モード取得要求をコンテンツ表示装置１０に送信する（Ｓ２００２）。この制御はＴｅｌｎｅｔで送信される。
【００９０】
そして、入力モード応答により、コンテンツ表示装置１０の入力モードがＵＳＢモードである場合、コンテンツ配信装置２０は電源待機状態遷移要求をコンテンツ表示装置１０に送信する（Ｓ２００６）。
【００９１】
コンテンツ表示装置１０は、電源待機状態遷移要求を受信すると、電源状態を現在の電源ＯＮ状態から電源待機状態に遷移させる。なお、遷移後に応答信号を送信しても良い。
【００９２】
コンテンツファイルを送信し、メディアプレイヤーのリセット要求を行った後、コンテンツ配信装置２０は、コンテンツ表示装置１０の電源状態を取得する（Ｓ２００８、Ｓ２０１０）。
【００９３】
そして、電源ＯＮ状態遷移要求を送信することで（Ｓ２０１２）、コンテンツ表示装置１０は、電源ＯＮ状態に遷移する。なお、Ｓ１０１０において、既に電源ＯＮ状態であれば送信しなくても良い。
【００９４】
［１．３．５  シーケンス３］
つづいて、電源状態が電源ＯＮ状態の場合であって、入力モードがＵＳＢモード以外の場合について、図９を参照して説明する。なお、図８の処理と同一の処理には同一の符号を付し、説明を省略する。
【００９５】
入力モード応答（Ｓ２００４）により、入力モードが「ＵＳＢモード」以外のモードである場合には、そのままコンテンツファイルの削除・送信処理を実行し、メディアプレイヤーリセット処理を実行する（Ｓ１０１４〜Ｓ１０１８）。
【００９６】
そして、電源状態を電源状態応答により取得し（Ｓ２００８、Ｓ２０１０）、電源状態応答があることで確認することで、電源が復帰したか否かを確認する。
【００９７】
つづいて、電源の復帰が確認された後は、入力モード切替要求を送信する（Ｓ２１０２）。ここで、ＵＳＢモードに切り替えて送信したコンテンツを再生・表示することとしても良いし、元のモードに戻す処理を行っても良い。
【００９８】
［１．４  動作例］
続いて、具体的な動作例（画面例）を、図を参照して説明する。図１０は、コンテンツ配信装置２０において、第１コンテンツ配信処理が実行されたときに表示部２２０に表示される表示画面Ｗ１００の一例である。
【００９９】
表示画面Ｗ１００に示すように、リストに含まれているコンテンツファイルが、コンテンツ配信装置２０から、コンテンツ表示装置１０に対して送信されることとなる。この、コンテンツファイルのリストが、領域Ｒ１００に表示されている。領域Ｒ１００に表示されているように、リストの属性と、リスト名とが並んで表示されている。リストの属性（例えば、動画コンテンツのリスト、静止画コンテンツのリスト）が識別表示されることにより、利用者は直感的に当該リストがどのようなコンテンツが含まれているリストを識別することができる。
【０１００】
そして、現在選択されているリスト名が領域Ｒ１０２に表示され、リストに含まれているコンテンツ（ファイル）が領域Ｒ１０４に表示されている。なお、選択されているリストは、利用者が識別できれば良く、例えば、領域Ｒ１００に表示されているリスト一覧の中から、選択されているリストについて識別表示（例えば反転表示）がされていても良い。
【０１０１】
また、領域Ｒ１０４に表示されているコンテンツは、複数のコンテンツがタイル状に表示されている。例えば、コンテンツＣ１００が表示され、当該コンテンツのコンテンツファイル名Ｃ１０４が表示されている。また、リストにおける順序Ｃ１０２が表示されており、利用者はコンテンツが表示・再生される順序を認識することが可能となる。コンテンツとしては、例えばタイル状ではない一覧表示であってもよい。
【０１０２】
また、表示画面Ｗ１００には、複数の操作ボタンが表示されている。例えば、実際にコンテンツ表示装置１０に対して配信を行う配信ボタンＢ１００や、コンテンツファイルをリストに追加するための追加ボタンＢ１０２、削除するための削除ボタンＢ１０４が表示されている。また、後述する予約配信ボタンＢ１０６も表示されている。
【０１０３】
この画面において、配信ボタンＢ１００が選択された場合の動作例（画面例）が、図１１の表示画面Ｗ１１０である。表示画面Ｗ１１０では、配信先を指定するウィンドウＷ１１５が新たに表示されている。
【０１０４】
そして、ウィンドウＷ１１５には、領域Ｒ１１０に配信されるリスト名が表示されており、配信先として、どのコンテンツ表示装置（パネル）を選択するかがＲ１１２に表示されている。
【０１０５】
ここで、配信したいコンテンツ表示装置１０を選択し、ＯＫボタンを選択することにより、具体的にリストに含まれているコンテンツファイルが、選択されたコンテンツ表示装置１０に送信されることとなる。
【０１０６】
このように、本実施形態によれば、コンテンツ配信装置の操作を行うと、コンテンツ表示装置に接続されている外部記憶装置（ＵＳＢメモリ３００）に、コンテンツファイルが記憶されることとなる。
【０１０７】
したがって、利用者は、いちいちＵＳＢメモリ３００を抜き差ししてコンテンツファイルをコピーする必要がなくなり、適切にコンテンツファイルを管理することができる。
【０１０８】
［２．第２実施形態］
つづいて、第２実施形態について説明する。第２実施形態は、第１実施形態の機能及び構成は同一であるが、コンテンツ配信装置２０の処理を、図６から図１２及び図１３に置き換えたものである。本実施形態では、当該処理を中心に説明する。なお、第１実施形態の図６と同一の処理については、同一の符号を付すことにより、その詳細な説明を省略する。
【０１０９】
まず、ログイン処理後（ステップＳ１５２）、コンテンツ表示装置１０のモデル名が、コンテンツ配信を受信可能なモデルか否か（対象モデルか否か）を確認する（ステップＳ２０２）。
【０１１０】
そして、コンテンツ表示装置１０が、対象モデルであることを判定した場合には（ステップＳ２０２；Ｙｅｓ）、対象モデルとなっているコンテンツ表示装置１０のｍａｃアドレスを取得する（ステップＳ２０４）。
【０１１１】
なお、ｍａｃアドレスはコンテンツ表示装置１０を識別するための情報であり、一意に識別可能な情報であれば、例えばＩＰアドレスや、ネットワーク名といった情報であっても良い。
【０１１２】
ここで、ｍａｃアドレスが取得可能な場合には（ステップＳ２０４；Ｙｅｓ）、当該コンテンツ表示装置１０に自動再生モードが搭載されているか否かを判定する（ステップＳ２０６）。自動再生モードがあるコンテンツ表示装置１０である場合には、コンテンツ表示装置１０の電源状態を取得する（ステップＳ１５４）。
【０１１３】
ここで、コンテンツ表示装置１０のモデル名が対象モデルではない場合、ｍａｃアドレスが取得出来なかった場合、自動再生モードがなかった場合には、エラー処理を行い、本処理を終了する（ステップＳ２０２；Ｎｏ／ステップＳ２０４；Ｎｏ／ステップＳ２０６；Ｎｏ→ステップＳ２０８）。
【０１１４】
ここで、ステップＳ１５４；ステップＳ１５８において、現在のコンテンツ表示装置１０の状態を、コンテンツ配信装置２０が取得する。すなわち、現在コンテンツ表示装置１０の電源状態は「ＯＮ」や「電源待機状態」であるか、入力モードは「ＵＳＢモード」や他のモード（例えば、「ＨＤＭＩ入力モード」）であるかを取得することになる。
【０１１５】
続いて、コンテンツ配信装置２０により、コンテンツ配信処理が行われ、メディアプレイヤーリセット処理が行われた後の処理が図１３となる。ここで、本実施形態では、コンテンツ表示装置１０の動作状態を、コンテンツ配信前の状態に復帰させる処理を行う。
【０１１６】
具体的には、まずメディアプレイヤーリセット処理に伴ってコンテンツ表示装置１０の電源がＯＦＦ→ＯＮされる。この際、ステップＳ１５４にて取得された電源状態を呼び出し、元の電源状態に設定する。
【０１１７】
次に、電源状態が以前（すなわち、コンテンツ配信前）と同じか否かを取得する（ステップＳ２２０）。もし、同じでない場合、利用者が状態を変更したと考えられるため、ログを記録する（ステップＳ２２０；Ｎｏ→ステップＳ２２２）。
【０１１８】
続いて、電源状態が「信号待機状態」であったかを取得する（ステップＳ２２４）。もし、ステップＳ１５４にて取得された電源の状態が「信号待機状態」であれば、電源待機状態に遷移させるために、電源待機状態に遷移する信号（電源待機信号）を送信する（ステップＳ２２４；Ｙｅｓ→ステップＳ２２６）。
【０１１９】
取得された電源の状態が信号待機状態では無い場合、入力モードについて判定する。すなわち、入力モードが従前（コンテンツ配信前）と異なっている場合には、利用者が変更した可能性があるので、ログに記録する（ステップＳ２２８；Ｎｏ→ステップＳ２３０）。また、入力モードが従前と同じであって、ＵＳＢモード以外の場合は、以前の入力モードに切り替える（ステップＳ２３０；Ｎｏ→ステップＳ２３４）。
【０１２０】
そして、ログアウト処理を行い（ステップＳ２３６）、残りのパネルがあるか否かを判定する（ステップＳ２３８）。残りのパネルがあれば、対象となるパネルを変更してステップＳ１５２から処理を繰り返し実行する。残りのパネルがなければ（ステップＳ２３８；Ｎｏ）、ログを記録し処理を終了する（ステップＳ２４０）。
【０１２１】
このように、コンテンツ表示装置１０にコンテンツを配信する場合、本来であればメディアプレイヤーリセット処理（例えば、電源のＯＦＦ→ＯＮ）を実行すると、コンテンツ表示装置１０は、コンテンツの自動再生を実行する。
【０１２２】
しかし、本実施形態によれば、コンテンツ表示装置１０を従前の状態に戻すこととなる。これによって、コンテンツ表示装置１０にコンテンツを表示させたくない場合に電源状態が「電源待機状態」となっている装置に、いきなりコンテンツデータが表示されるといったことを防ぐことができる。
【０１２３】
また、本実施形態により、従前の電源状態が「信号待機状態」となっている装置がリセットされた場合、電源ＯＮ状態となり、コンテンツ配信前は何も表示されていなかったコンテンツ表示装置１０に、いきなりコンテンツデータが表示される、という現象を防ぐことができる。
【０１２４】
また、コンテンツ表示装置１０に違うコンテンツデータを表示させている場合（例えば、ＨＤＭＩ入力でＤＶＤを再生している場合）、入力モードが従前の状態に戻るため、利用者の意図と異なるコンテンツデータが表示・再生されるといったことを防ぐことができる。
【０１２５】
なお、上述した各ステップのログの記録であるがログは記録しても良いし、しなくても良い。また、利用者がログの記録についてＯＮ／ＯＦＦを切り替えられるようにしても良い。
【０１２６】
［３．第３実施形態］
つづいて、第３実施形態について説明する。第３実施形態は配信先となるコンテンツ表示装置１０の、表示能力をリストとして記憶しており、当該リストに基づいて配信先となる候補を表示する実施形態である。
【０１２７】
例えば、図１４は、コンテンツ配信装置２０が記憶しているコンテンツ表示装置テーブルの一例である。コンテンツ表示装置１０のアドレスをｍａｃアドレスで記憶しており、対応して自動再生可能か否か、モニタ解像度がどのように設定されているかを取得している。
【０１２８】
例えば、自動再生ができない（例えば、モデルとして対応していない、利用者の設定により自動再生モードがＯＦＦにされている）場合には、配信先のコンテンツ表示装置１０として選択できないような表示を行う。
【０１２９】
また、モニタ解像度によって、表示画面の大きさ、向きが分かることとなる。例えばモニタ解像度が「１０８０Ｘ１９２０」の場合、コンテンツ表示装置１０は縦置きされていることが分かる。このような場合には、例えば横向きのコンテンツや、映像のコンテンツ（横向きの映像）の場合には、配信先として選択できないような構成としても良い。
【０１３０】
図１５は、本実施形態の動作例を示す図である。表示画面上に、ウィンドウＷ２００が表示されている。そして、ウィンドウＷ２００上の領域Ｒ２００には、コンテンツの配信先となるコンテンツ表示装置１０が列挙されている。
【０１３１】
ここで、「駐車場」に設置されているコンテンツ表示装置１０は選択できない状態となっている。これにより、利用者としては適切なコンテンツ表示装置１０を選択することが可能となっている。
【０１３２】
［４．第４実施形態］
続いて、第４実施形態について、図１６を参照して説明する。第４実施形態は、上述したコンテンツ配信装置２０で実現していた処理の一部をコンテンツ表示装置１０で実施する場合について説明する。
【０１３３】
すなわち、本実施形態におけるコンテンツ配信装置２０は、コンテンツ表示装置１０の状態に関わり無くコンテンツファイルを送信する。なお、コンテンツ表示装置１０が、そもそもコンテンツの表示等本実施形態に必要な機能を実装していない場合は、送信されないこととしても良い。
【０１３４】
本実施形態は、第１実施形態におけるコンテンツ表示装置１０の第１コンテンツ表示処理（図５）を、第２コンテンツ表示処理（図１６）に置き換えたものである。具体的意は、第１コンテンツ表示処理のステップＳ１０２〜ステップＳ１１０を、第２コンテンツ表示処理のステップＳ３０２〜ステップＳ３１６に置き換えた処理である。具体的に以下説明する。
【０１３５】
コンテンツ表示装置１０は、コンテンツ配信装置２０より、準備信号を受信する（ステップＳ３０２）。コンテンツ配信装置２０は、コンテンツファイルを送信する前に、準備信号をコンテンツ表示装置１０に送信する。
【０１３６】
コンテンツ表示装置１０は、コンテンツファイルを受信できる場合はＡＣＫ信号を、コンテンツファイルを受信できない場合にはＮＡＣＫ信号を応答しても良い。ＮＡＣＫ信号が返されたコンテンツ配信装置２０は、コンテンツファイルの送信を中止する。
【０１３７】
コンテンツ表示装置１０は、現在のモードがＵＳＢモードの場合は、電源状態を一度スタンバイ状態（電源待機状態）に遷移させる（ステップＳ３０４；Ｙｅｓ→ステップＳ．３０６）。
【０１３８】
つづいて、「ＡｕｔｏＰｌａｙ」フォルダが既に存在している場合には、「ＡｕｔｏＰｌａｙ」フォルダに含まれているコンテンツファイルを削除する（ステップＳ３１０）。このとき、「ＡｕｔｏＰｌａｙ」フォルダがなければ作成しても良いし、「ＡｕｔｏＰｌａｙ」フォルダを削除して作成する処理を実行しても良い。
【０１３９】
続いて、コンテンツ配信装置２０からコンテンツファイルを受信する（ステップＳ３１２）。受信されたコンテンツファイルは、ＵＳＢメモリ３００の、コンテンツファイル記憶領域３１０に記憶される。
【０１４０】
コンテンツ配信装置２０は、リストに含まれているコンテンツファイルの送信を完了した場合には、完了信号を送信し、当該完了信号をコンテンツファイル受信装置は受信する（ステップＳ３１４；Ｙｅｓ）。これにより、コンテンツ配信装置２０よりコンテンツファイルが全て受信されたことが分かる。
【０１４１】
なお、コンテンツ表示装置１０は、コンテンツファイルが全て送信された事が分かればよいため、他の処理であっても良い。例えば、最後のコンテンツファイルのファイル名を「９９」にするとか、コンテンツ数の情報を別に取得するといった、種々の方法が考えられる。
【０１４２】
そして、自動再生を実行する場合は、コンテンツ表示処理を実行する（ステップＳ３１６；Ｙｅｓ→ステップＳ１１２）。
【０１４３】
このように、本実施形態によれば、第１実施形態においてコンテンツ配信装置２０において実行していた処理の一部を、コンテンツ表示装置１０で実現することができる。
【０１４４】
［５．第５実施形態］
つづいて、第５実施形態について説明する。第５実施形態は、第２実施形態に第４実施形態を適用した場合について説明する。
【０１４５】
具体的には、第２コンテンツ配信処理装置（図１３）で実行されていた処理（ステップＳ２２０〜ステップＳ２３４）を、コンテンツ表示装置１０で実行すれば良い。
【０１４６】
すなわち、完了信号を受信した場合に（図１６のステップＳ３１４；Ｙｅｓ）、従前のコンテンツ表示装置１０の状態に復帰する処理を実行する。
【０１４７】
例えば電源状態が「電源待機状態」であれば、電源待機状態に復帰する。また、入力モードが他のモード（例えば、「ＨＤＭＩ入力モード」）であった場合は、当該モードに切り替える。
【０１４８】
これにより、コンテンツ配信装置２０からコンテンツファイルを受信したとしても、従前の状態で表示を行うことが可能となる。
【０１４９】
［６．第６実施形態］
つづいて、第６実施形態について説明する。第６実施形態は、コンテンツ配信装置２０から、コンテンツ表示装置１０に対して、ＵＳＢモードに切り替え、コンテンツの表示を強制的に行わせる実施形態である。
【０１５０】
すなわち、コンテンツ配信装置２０は、コンテンツ表示装置１０に対して、電源をＯＮにし、ＵＳＢモードに切り替えてコンテンツ表示処理を強制的に開始する制御を行う。方法としては、ｔｅｌｎｅｔ経由でコマンドを送信しても良いし、コンテンツファイルに属性を付加しても良い。また、別にコンテンツ表示信号を送信し、強制的に表示させる制御を行っても良い。
【０１５１】
ここで、本実施形態では、第４実施形態において、コンテンツ配信装置２０からコンテンツ表示信号が送信されて処理が実行される場合を例に、図１７及び図１８を参照して説明する。
【０１５２】
なお、図１７及び図１８の第３コンテンツ表示処理は、図１６に示した第２コンテンツ表示処理の一部を置き換えた処理であり、同一の処理には同一の符号を付して説明を省略する。
【０１５３】
完了信号を受信した後に、コンテンツ表示信号を受信した場合（ステップＳ４０２；Ｙｅｓ）、電源状態が「ＯＮ」でなければ、電源状態を「ＯＮ」に切り替える（ステップＳ４０４；Ｎｏ→ステップＳ４０６）。また、動作モードが「ＵＳＢモード」でない場合には、動作モードを「ＵＳＢモード」に切り替える（ステップＳ４０８；Ｎｏ→ステップＳ４１０）。そして、コンテンツ表示処理を実行し、他モードへの切り替え、電源ＯＦＦ操作がなければステップＳ３０４から繰り返し処理を実行する（ステップＳ１１２→ステップＳ１１４；Ｎｏ→ステップＳ１１６；Ｎｏ→ステップＳ３０４）。
【０１５４】
また、コンテンツ表示信号を受信しない場合には（ステップＳ４０２；Ｎｏ）、通常の処理を実行する。すなわち、自動再生を実行する場合は、コンテンツ表示処理を実行し（ステップＳ３１６；Ｙｅｓ→ステップＳ１１２）、実行しない場合は図１８のステップＳ１１４に処理を遷移する。
【０１５５】
ＵＳＢモードに切り替わったことで、コンテンツ表示処理（ステップＳ１１２）において、「ＡｕｔｏＰｌａｙ」フォルダに記憶されているコンテンツが順次再生・表示される。
【０１５６】
このように、本実施形態によれば、強制的にコンテンツの再生・表示を行うことが可能となる。したがって、例えば開店時間にコンテンツ表示装置１０に必ずコンテンツを表示するといったことや、重要な情報の場合については、強制的に表示させるといった、柔軟性の高いシステムを提供することができる。
【０１５７】
［７．第７実施形態］
つづいて、第７実施形態について説明する。第７実施形態は、コンテンツファイルを予約配信する実施形態である。
【０１５８】
すなわち、上述したコンテンツ配信装置２０において、予約配信処理を実行することにより、コンテンツ表示装置１０に送信・表示されるタイミングの予約を行うことができる。
【０１５９】
例えば、図１０において、予約配信ボタンＢ１０６が選択されると、図１９に示すように予約配信編集画面に遷移する。この画面では、コンテンツファイルをいつ、どのコンテンツ表示装置１０に送信するかを選択することが可能となる。
【０１６０】
併せて、予約名と、対象となるパネル、コンテンツのリスト名、曜日及び配信時間とを選択することができる。これらの入力された予約に関する内容が、予約情報として記憶される。この予約情報は、例えば、図２０に示すように、画面に表示され、閲覧することができる。この画面から、例えば予約情報の編集、削除を行うことができる。
【０１６１】
また、即送信ボタンが選択されることにより、予約時間を待たずに選択されたコンテンツ表示装置１０にコンテンツファイルを送信することができる。さらに、ログを表示させることが可能となっている。
【０１６２】
ログは、予約情報毎に、コンテンツファイルが正しく送信された否かが表示される。更に、リストや、コンテンツ表示装置１０を選択することにより、ログを表示させることも可能である。
【０１６３】
例えば、一つのコンテンツ表示装置１０が選択された後にログを表示させると、選択されたコンテンツ表示装置１０に送信されたコンテンツファイルの一覧を見ることができる。これにより、コンテンツ表示装置１０毎に、どのようなコンテンツが表示・再生されたかを確認することが可能となっている。
【０１６４】
また、これらの予約情報と、第６実施形態とを組み合わせることで、例えば早朝にコンテンツファイルが送信される場合は強制的にコンテンツの表示・再生を行い、昼間については、現在の状態を保持するといったことを行っても良い。
【０１６５】
例えば、ショッピングモールで利用する場合に、開店時（前）には、予約情報に含まれているコンテンツ表示装置１０をＵＳＢモードに切り替えて、コンテンツを表示し、開店後は、コンテンツ表示装置１０毎の設定を優先させるといった使い方も可能である。
【０１６６】
［８．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１６７】
また、上述した実施形態は、説明した以外にも、矛盾のない範囲において適宜組み合わせて実行しても良いことは勿論である。
【０１６８】
また、上述した実施形態では、コンテンツ出力装置の一例として、コンテンツを出力する例で説明したが、コンテンツを出力する方法としては、例えば投影装置や照射装置であっても良いし、音声や音楽であってもよい。
【０１６９】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０１７０】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１７１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１７２】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【０１７３】
１  コンテンツ配信システム
１０  コンテンツ表示装置
１１０  制御部
１２０  表示部
１３０  通信部
１４０  記憶部
１５０  コンテンツ表示制御部
１６０  ＵＳＢ接続部
３００  ＵＳＢメモリ
３１０  コンテンツファイル記憶領域
２０  コンテンツ配信装置
２１０  制御部
２２０  表示部
２３０  通信部
２４０  記憶部
２４２  コンテンツファイル記憶部
２４４  コンテンツ配信プログラム
【図１】
0006782557.tif 000002
【図２】
0006782557.tif 000003
【図３】
0006782557.tif 000004
【図４】
0006782557.tif 000005
【図５】
0006782557.tif 000006
【図６】
0006782557.tif 000007
【図７】
0006782557.tif 000008
【図８】
0006782557.tif 000009
【図９】
0006782557.tif 000010
【図１０】
0006782557.tif 000011
【図１１】
0006782557.tif 000012
【図１２】
0006782557.tif 000013
【図１３】
0006782557.tif 000014
【図１４】
0006782557.tif 000015
【図１５】
0006782557.tif 000016
【図１６】
0006782557.tif 000017
【図１７】
0006782557.tif 000018
【図１８】
0006782557.tif 000019
【図１９】
0006782557.tif 000020
【図２０】
0006782557.tif 000021